(57)【特許請求の範囲】
【請求項１】
機器収納用ラックに設けられたマウントアングルに渡して用いる、通信機器を装着するためのマウントレールの前面側構造であって、前記マウントレールには、前記機器収納用ラックの前面側マウントアングルの取り付け穴に対向する間隔で係合体と固定穴とを設けると共に、最上部の係合体にはねじを挿通して、前記マウントレールを固定するものとし、前記ねじには、ねじ頭に連動して回転し、自体を回転させることで前記ねじを締め付け可能とする金具を設けることを特徴とするマウントレールの前面側構造。
【請求項２】
前記金具は、断面略コ字状に折曲形成し、前面折曲部と背面折曲部とに、前記マウントアングルに設けられた取り付け穴と、前記マウントレールに設けられた固定穴とに対向する位置に挿通穴を設け、前記ねじを締め付けた状態で前記背面折曲部が前記マウントアングルの背面側に入り込み、前記挿通穴に前記ねじにより前記マウントレールを前記マウントアングルに固定可能とする請求項１に記載のマウントレールの前面側構造。
【発明の詳細な説明】
【技術分野】
【０００１】
本発明は、機器収納用ラックに設けられたマウントアングルに渡して用いる、通信機器を装着するためのマウントレールの前面側構造に関するものである。
【背景技術】
【０００２】
機器収納用ラックには四隅にマウントアングルが設けられており、マウントアングルに直接通信機器をねじ止め等により固定したり、マウントレール等を介して機器を取り付けたりしていた。近年の情報化に伴い、通信機器の利用が増え、機器収納用ラックには密集して通信機器が取り付けられている。通信機器本体も小型化し、できるだけ省スペースとなるような機器収納用ラックの取り付け構造が採用されており、これらの機器は機器収納用ラックに棚状に積み上げられ収納されていた。
【特許文献１】特開２００３−１５９１２９号公報
【発明の開示】
【発明が解決しようとする課題】
【０００３】
上記示した機器収納用ラックでは、小型化や省スペース化を望むあまり、機器の取り付け作業がしづらいという欠点があった。例えば、何段にも分けて機器収納用ラックに収納されている機器を一段撤去する場合、一段分のスペースは狭く、マウントレールを固定するねじを緩めるため機器収納用ラックの側面側に手が届かず、隣接する段を一旦取り外したり、機器収納用ラック本体の側面を開放したりして作業のスペースを確保しなくてはならなかった。
【課題を解決するための手段】
【０００４】
そこで本発明は、機器収納用ラックへの機器取り付け作業を容易にするマウントレールの前面側構造を提供することを目的とし、その構造は、マウントレールには、機器収納用ラックの前面側マウントアングルの取り付け穴に対向する間隔で係合体と固定穴とを設けると共に、最上部の係合体にはねじを挿通して、マウントレールを固定するものとし、ねじには、ねじ頭に連動して回転し、自体を回転させることでねじを締め付け可能とする金具を設けることを特徴とする。
【０００５】
また、金具は、断面略コ字状に折曲形成し、前面折曲部と背面折曲部とに、マウントアングルに設けられた取り付け穴と、マウントレールに設けられた固定穴とに対向する位置に挿通穴を設け、ねじを締め付けた状態で背面折曲部がマウントアングルの背面側に入り込み、挿通穴にねじによりマウントレールをマウントアングルに固定可能とすることを特徴とする。
【発明の効果】
【０００６】
本発明に係るマウントレールの前面側構造では、機器収納用ラックへの機器取り付け作業を容易にするマウントレールの前面側構造を提供することを目的とし、その構造は、マウントレールには、機器収納用ラックの前面側マウントアングルの取り付け穴に対向する間隔で係合体と固定穴とを設けると共に、最上部の係合体にはねじを挿通して、マウントレールを固定するものとし、ねじには、ねじ頭に連動して回転し、自体を回転させることでねじを締め付け可能とする金具を設けるため、機器収納用ラックの前面側でマウントレールの取り付け取り外しの際のねじ体の締め付け、緩めの作業が行え、作業性が向上する。密集して取り付けられている機器の取り外し作業も、機器収納用ラックの前面側での作業で行うことができるため、容易である。
【０００７】
また、金具は、断面略コ字状に折曲形成し、前面折曲部と背面折曲部とに、マウントアングルに設けられた取り付け穴と、マウントレールに設けられた固定穴とに対向する位置に挿通穴を設け、ねじを締め付けた状態で背面折曲部がマウントアングルの背面側に入り込み、挿通穴にねじによりマウントレールをマウントアングルに固定可能とするため、機器収納用ラックの前面側でマウントレールの取り付け取り外しの際のねじ体の締め付け、緩めの作業が行え、作業性が向上する。密集して取り付けられている機器の取り外し作業も、機器収納用ラックの前面側での作業で行うことができるため、容易である。金具は、マウントレールに機器が取り付けられた状態では、回転することができないため、ねじ体が緩むこともなく、また、金具は、マウントアングルとマウントレールとに少なくとも二点でねじ等により固定されるため、確実にマウントレールの固定が可能である。
【発明を実施するための最良の形態】
【０００８】
本発明に係る機器固定構造の実施例を図１〜図４の添付図面に基いて説明する。
【０００９】
図２に示すように、機器収納用ラック１には、四隅にマウントアングル２が設けられている。通信機器３等は、マウントアングル２に直接ねじ止めしたり、マウントアングル２に棚板取り付け、棚板上に載置したり、前後のマウントアングル２にマウントレール４を渡し、マウントレール４に通信機器３を支持させるといった方法で機器収納用ラック１に収納している。本発明は、マウントレール４の前面側構造に関する。
【００１０】
マウントアングル２は、機器取り付け部５と支持部６とを折曲形成しており、機器取り付け部５には角穴形状の取り付け穴７が形成されている。１Ｕサイズの通信機器３の高さ寸法は、取り付け穴７の３つ分に相当する。
【００１１】
マウントレール４は、アングル取り付け部８と機器支持部９とで構成され、機器支持部９には溝１０が設けられている。アングル取り付け部８には、前面側マウントアングル２ａに設けられた取り付け穴７に対向する間隔で、係合体１１と固定穴１２とを設ける。図３、図４では、１Ｕサイズの通信機器３の固定構造について示している。マウントレール４の対向する３つの取り付け穴７のうち最上部の取り付け穴７と最下部の取り付け穴７とにそれぞれ挿通可能である係合体１１を、マウントレール４に設ける。最上部の取り付け穴７に対向して設けられた係合体１１には、前面側からねじ１３と、ねじ１３と連動して回転する金具１４とを取り付ける。
【００１２】
最下部の取り付け穴７に対向して設けられた係合体１１は、マウントレール４を前面側マウントアングル２ａに取り付ける際に、位置決めとして利用する。
【００１３】
通信機器３を前面側マウントアングル２ａに固定するためのローレットビス１５が挿通可能であるように、マウントレール４のアングル取り付け部８の中間部には、固定穴１２を設けている。
【００１４】
通信機器３にはマウントアングル固定部１６が形成され、また、通信機器３の側面には支持ピン１７が設けられる。通信機器３は、前面側マウントアングル２に、前面側よりマウントアングル固定部１６を固定することと、マウントレール４の溝１０に支持ピン１７を通すことにより、機器収納用ラック１に支持される構造となっている。
【００１５】
ねじ１３は、前面側マウントアングル２ａの取り付け穴７の一番上のものに対向させた位置に設ける。ねじ１３は、ねじ頭を回転させると連動して回動する金具１４が形成されている。金具１４は、断面略コ字状に折曲し、前面折曲部１４ａと背面折曲部１４ｂとが形成されている。前面側マウントアングル２ａにマウントレール４を取り付ける際、マウントレール４のねじ１３が緩んでいる状態では、金具１４も前面側マウントアングル２ａに対して開いた状態である。開いた状態でマウントレール４をセットすると、この金具１４の背面折曲部１４ｂが前面側マウントアングル２ａに当たらない位置となるように形成されている。
【００１６】
３つの取り付け穴７のうち最下部のものに対向する係合体１１とねじ１３が装着される係合体１１とを前面側マウントアングル２ａの取り付け穴７に挿通し、マウントレール４の固定位置を仮決めした後、ねじ１３のねじ頭をドライバーで回転させるか、金具１４を指で回転させるかして、金具１４の背面折曲部１４ｂを前面側マウントアングル２ａの背面側へ入り込ませる。この状態のときにマウントレール４は前面側マウントアングル２ａに仮固定されることになる。
【００１７】
金具１４の前面折曲部１４ａには挿通穴１８を、背面折曲部１４ｂにはタップ穴１９を設ける。ねじ１３を締め付け、マウントレール４を前面側マウントアングル２に固定し、背面側もマウントレールを４固定した後、通信機器３をマウントレール４と前面側マウントアングル２ａとに固定する。通信機器３のローレットビス１５を挿通穴１８に対向させ通信機器３をセットし、前面側からローレットビス１５を締め付けタップ穴１９とで、通信機器３はマウントアングル２に完全に固定される。
【００１８】
省スペース化を図るため、多種の小型化された機器を密集させて機器収納用ラックに収納されるため、機器収納用ラックの前面側から、機器類の側面側や背面側へ手を入れることが難しい。本発明においては、機器収納用ラックの前面側でマウントアングルの取り付け取り外しの装置を可能とし、１Ｕサイズの通信機器を撤去する場合に、マウントアングルを取り外すには、マウントアングルの前面側にあるねじ体のねじ頭をドライバーで回転させるか、金具を指で回転させるかして、ねじ体を緩めることができるので、側面側や背面側に手を回すことなく作業できるので、大変効率が良い。
【図面の簡単な説明】
【００１９】
【図１】通信機器の構造を示す説明図である。
【図２】通信機器をマウントアングルに取り付けた状態を示す説明図である。
【図３】図２におけるマウントレールの前面側構造を示す拡大図である。
【図４】マウントレールの取り付け動作を示す説明図である。
【図５】図３におけるマウントレールの前面側構造を背面側から望んだ拡大図である。
【符号の説明】
【００２０】
１      機器収納用ラック
２      マウントアングル
２ａ    前面側マウントアングル
３      通信機器
４      マウントレール
５      機器取り付け部
６      支持部
７      取り付け穴
８      アングル取り付け部
９      機器支持部
１０    溝
１１    係合体
１２    固定穴
１３    ねじ
１４    金具
１４ａ  前面折曲部
１４ｂ  背面折曲部
１５    ローレットビス
１６    マウントアングル固定部
１７    支持ピン
１８    挿通穴
１９    タップ穴
【図１】
0005030160.tif 000002
【図２】
0005030160.tif 000003
【図３】
0005030160.tif 000004
【図４】
0005030160.tif 000005
【図５】
0005030160.tif 000006